(57)【要約】【課題】バッテリーユニットの劣化を正確に報知可能なシステムを提供する。【解決手段】累積時間及び劣化報知時間を含むバッテリー情報を記憶する情報記憶部、バッテリー情報を記憶するバッファ部、充電時間を取得する充電制御部、累積時間に対して充電時間を加算することにより、累積時間の更新を行い、情報記憶部に書き込む更新部、読み出した累積時間と劣化報知時間とが所定の関係にあるかどうかを判定する判定部、読み出した累積時間と劣化報知時間とが所定の関係にある場合、バッテリーユニットの劣化に関する情報を報知する報知部を有する劣化報知システム。【選択図】図６
2020046193.tif 000002
【特許請求の範囲】
【請求項１】
カラオケ装置用のリモコン装置、当該リモコン装置に対して着脱可能な充電式のバッテリーユニット、及び前記バッテリーユニットの充電を行う充電ユニットを含むバッテリーユニットの劣化報知システムであって、
前記バッテリーユニットは、
前記バッテリーユニットの充電を行った累積時間、及び前記バッテリーユニットの劣化を報知する基準となる劣化報知時間を含むバッテリー情報を記憶する情報記憶部を有し、
前記充電ユニットは、
装着された前記バッテリーユニットから前記バッテリー情報を読み出し、一時的に記憶するバッファ部と、
前記バッテリーユニットの充電時間を取得する充電制御部と、
前記バッファ部に記憶した前記累積時間に対して前記充電時間を加算することにより、累積時間の更新を行い、前記情報記憶部に書き込む更新部と、
を有し、
前記リモコン装置は、
装着された前記バッテリーユニットから前記バッテリー情報を読み出し、読み出した前記累積時間と前記劣化報知時間とが所定の関係にあるかどうかを判定する判定部と、
読み出した前記累積時間と前記劣化報知時間とが所定の関係にある場合、前記バッテリーユニットの劣化に関する情報を報知する報知部と、
を有するバッテリーユニットの劣化報知システム。
【請求項２】
前記充電ユニットは、充電時のバッテリーユニット近傍の温度であるバッテリー温度を測定するバッテリー温度測定手段を有し、
前記バッテリー情報は、バッテリー温度とバッテリーユニットの劣化との対応を示す劣化情報を含み、
前記バッファ部に記憶した前記バッテリー情報、及び前記バッテリー温度に基づいて、前記バッテリー温度に応じた劣化を考慮した充電時間を算出する算出部と、
前記バッファ部に記憶した前記累積時間に対して前記バッテリー温度に応じた劣化を考慮した充電時間を加算することにより、累積時間の更新を行い、前記情報記憶部に書き込む更新部と、
を有することを特徴とする請求項１記載のバッテリーユニットの劣化報知システム。
【請求項３】
前記劣化情報は、前記バッテリー温度と劣化係数との関係式で表される情報であり、
前記算出部は、前記劣化情報に基づいて前記バッテリー温度に応じた前記劣化係数を求め、前記取得した充電時間に前記劣化係数を乗じて、前記バッテリー温度に応じた劣化を考慮した充電時間を算出することを特徴とする請求項２記載のリモコン装置。
【発明の詳細な説明】
【技術分野】
【０００１】
本発明はバッテリーユニットの劣化報知システムに関する。
【背景技術】
【０００２】
カラオケ装置に付属するリモコン装置等の電子機器は、一般的に、リチウムイオン電池等の二次電池（充電池）が搭載されている。
【０００３】
充電池は、充放電を繰り返し行うことにより内部抵抗値が徐々に大きくなる結果、充電容量が徐々に低下する。充電容量が一定以下になった充電池（劣化した充電池）は、性能を担保できないため、新しい充電池と交換することが好ましい。一方、充電池の劣化は、電子機器の使用状況や充電回数等、様々な要因によって進行状況が変化するため、利用者に対して充電池の劣化を報知することが困難である。
【０００４】
そこで特許文献１には、劣化量検出手段により検出された充電回数や内部抵抗値に応じて、劣化量を表示する技術が開示されている。
【先行技術文献】
【特許文献】
【０００５】
【特許文献１】特開２００４−１４４６２８号公報
【発明の概要】
【発明が解決しようとする課題】
【０００６】
ここで、カラオケ用のリモコン装置は、短時間の充電が頻繁に行われる場合もある。たとえば、カラオケ装置の利用者に対し、カラオケ店舗のフロントでリモコン装置を貸し出す場合がありうる。この場合、カラオケ店舗の従業員は、リモコン装置を充電器から取り外し、利用者に貸し出す。一方、利用者から返却を受けたリモコン装置は充電器に接続され、充電が行われる。しかし、利用者の来店状況によっては、リモコン装置の充電が完了する前に次の利用者に貸し出すこともありうる。
【０００７】
このような場合であっても、特許文献１の技術によれば、実際の充電時間に関わらず１回の充電としてカウントされる。一方、充電池の劣化は、充電回数だけでは判断できない。つまり、充電回数を劣化量として表示させる場合、実際の劣化量と乖離した情報が表示される可能性があった。また、内部抵抗値を検出するためには、専用の機能が必要となるため、煩雑である。
【０００８】
本発明の目的は、バッテリーユニットの劣化を正確に報知可能なシステムを提供することにある。
【課題を解決するための手段】
【０００９】
上記目的を達成するための一の発明は、カラオケ装置用のリモコン装置、当該リモコン装置に対して着脱可能な充電式のバッテリーユニット、及び前記バッテリーユニットの充電を行う充電ユニットを含むバッテリーユニットの劣化報知システムであって、前記バッテリーユニットは、前記バッテリーユニットの充電を行った累積時間、及び前記バッテリーユニットの劣化を報知する基準となる劣化報知時間を含むバッテリー情報を記憶する情報記憶部を有し、前記充電ユニットは、装着された前記バッテリーユニットから前記バッテリー情報を読み出し、一時的に記憶するバッファ部と、前記バッテリーユニットの充電時間を取得する充電制御部と、前記バッファ部に記憶した前記累積時間に対して前記充電時間を加算することにより、累積時間の更新を行い、前記情報記憶部に書き込む更新部と、を有し、前記リモコン装置は、装着された前記バッテリーユニットから前記バッテリー情報を読み出し、読み出した前記累積時間と前記劣化報知時間とが所定の関係にあるかどうかを判定する判定部と、読み出した前記累積時間と前記劣化報知時間とが所定の関係にある場合、前記バッテリーユニットの劣化に関する情報を報知する報知部と、を有するバッテリーユニットの劣化報知システムである。
本発明の他の特徴については、後述する明細書及び図面の記載により明らかにする。
【発明の効果】
【００１０】
本発明によれば、バッテリーユニットの劣化を正確に報知できる。
【図面の簡単な説明】
【００１１】
【図１】第１実施形態に係る劣化報知システムの概略を示す図である。
【図２】第１実施形態に係るバッテリーユニットの構成を示した図である。
【図３】バッテリーユニットの充電容量と累積時間の関係を示した図である。
【図４】第１実施形態に係る充電ユニットの構成を示した図である。
【図５】第１実施形態に係るリモコン装置の構成を示した図である。
【図６】第１実施形態に係る劣化報知システムの処理を示すフローチャートである。
【図７】第２実施形態に係るバッテリーユニットにおける劣化情報を示した図である。
【図８】第２実施形態に係に係る充電ユニットの構成を示した図である。
【図９】第２実施形態に係る劣化報知システムの処理を示すフローチャートである。
【発明を実施するための形態】
【００１２】
＜第１実施形態＞
図１〜図６を参照して、本実施形態に係るバッテリーユニットの劣化報知システムについて説明する。
【００１３】
＝＝劣化報知システム＝＝
図１に示すように、本実施形態に係る劣化報知システム１は、バッテリーユニットＢ、充電ユニットＣ、リモコン装置Ｒを含む。
【００１４】
バッテリーユニットＢは、リモコン装置Ｒを駆動する電力を供給するためのユニットである。バッテリーユニットＢは、リモコン装置Ｒに対して着脱可能となっている。バッテリーユニットＢは、繰り返しの充放電が可能な充電式である。
【００１５】
充電ユニットＣは、バッテリーユニットＢの充電を行うユニットである。バッテリーユニットＢが装着された場合、充電ユニットＣは、バッテリーユニットＢの充電を開始する。また、バッテリーユニットＢが外された場合（或いは満充電となった場合）、充電ユニットＣは、バッテリーユニットＢの充電を終了する。充電ユニットＣは、充電中であることをユーザーに通知するランプ等（図示なし）が設けられていてもよい。
【００１６】
リモコン装置Ｒは、カラオケ装置（図示なし）に付属する装置である。カラオケ装置のユーザーは、リモコン装置Ｒを介して楽曲の選曲等を行うことができる。
【００１７】
なお、図１の例では、一の充電ユニットＣに対して一のバッテリーユニットＢのみを示しているが、これに限られない。たとえば、リモコン装置Ｒの使用後、装着されているバッテリーユニットＢを取り外して充電ユニットＣに装着する。一方、リモコン装置Ｒには既に満充電となっている代わりのバッテリーユニットＢを装着する。このように複数のバッテリーユニットＢを使用することで、充電切れによりリモコン装置Ｒが使用できないといった事態が生じることが無い。
【００１８】
＝＝バッテリーユニット＝＝
図２は、バッテリーユニットＢの構成を示した図である。バッテリーユニットＢは、少なくともセル１０、及び記憶手段１１を含む。なお、バッテリーユニットＢは、充電ユニットＣやリモコン装置Ｒとの接続手段（コネクタ。図示無し）等、従来のバッテリーユニットと同様の構成を含む。
【００１９】
セル１０は、電力を発生するユニット（単電池）である。一般に、一のバッテリーユニットには複数のセルが設けられているが、図２では一つのセル１０のみを示している。記憶手段１１は、バッテリーユニットＢに関する各種情報を記憶する。本実施形態に係る記憶手段１１は、情報記憶部１１ａとして機能する。
【００２０】
情報記憶部１１ａは、バッテリー情報を記憶する。本実施形態において、バッテリー情報は、累積時間及び劣化報知時間を含む。
【００２１】
累積時間は、バッテリーユニットＢの充電を行った総時間である。バッテリーユニットＢは、充電時間と共に充電容量が減少する。一定の充電容量以下となったバッテリーユニットＢは、それ以上充電を行っても十分な性能が得られないため、使用を止めて廃棄することが推奨されている。図３は、バッテリーユニットＢの充電容量と累積時間の関係を示した図である。この例によれば、バッテリーユニットＢは、累積時間が６０００時間で充電容量が５０％まで減少する。
【００２２】
劣化報知時間は、バッテリーユニットＢの劣化を報知する基準となる時間である。上述の通り、充電を行っても十分な性能が得られない場合には、ユーザーに対してその旨を報知することが望ましい。劣化報知時間は、そのような報知をする基準となる時間である。劣化報知時間は、バッテリーユニットごとに予め所定の値が設定されている。たとえば、図３に示した例に基づくと、バッテリーユニットＢに対しては、充電容量が５０％まで低下する６０００時間を劣化報知時間として設定することができる。
【００２３】
＝＝充電ユニット＝＝
図４は、充電ユニットＣの構成を示した図である。充電ユニットＣは、少なくとも充電機構２０、記憶手段２１、及び制御手段２２を含む。なお、充電ユニットＣは、バッテリーユニットＢとの接続手段（コネクタ。図示無し）等、従来の充電ユニットと同様の構成を含む。
【００２４】
充電機構２０は、制御手段２２の制御に基づいて、装着されたバッテリーユニットＢに対して充電を行うための機構である。
【００２５】
記憶手段２１は、充電ユニットＣに関する各種情報を記憶する。本実施形態に係る記憶手段２１は、バッファ部２１ａとして機能する。
【００２６】
バッファ部２１ａは、装着されたバッテリーユニットＢからバッテリー情報を読み出し、一時的に記憶する。一時的とは、たとえば、装着されたバッテリーユニットＢが充電ユニットＣから外されるまでの間である。
【００２７】
制御手段２２は、充電ユニットＣにおける各種制御を行う。本実施形態に係る制御手段２２は、充電制御部２２ａ及び更新部２２ｂとして機能する。
【００２８】
充電制御部２２ａは、充電機構２０を制御して、バッテリーユニットＢへの充電を行う。また、本実施形態に係る充電制御部２２ａは、バッテリーユニットＢの充電時間を取得する。
【００２９】
具体的に、充電制御部２２ａは、充電機構２０に対し、装着されたバッテリーユニットＢに対する充電開始時の指示を行い、当該指示を行った時刻を充電開始時刻として特定する。充電制御部２２ａは、充電機構２０による充電状況を管理する。満充電になった場合、充電制御部２２ａは、その時刻を充電終了時刻として特定する。そして、充電制御部２２ａは、特定した充電開始時刻及び充電時刻に基づいて、実際に充電が行われた充電時間を取得する。充電制御部２２ａは、取得した充電時間を更新部２２ｂに出力する。或いは、充電制御部２２ａはタイマー手段を備え、充電時間を直接、計時してもよい。
【００３０】
更新部２２ｂは、バッファ部２１ａに記憶した累積時間に対して充電時間を加算することにより、累積時間の更新を行い、情報記憶部１１ａに書き込む。
【００３１】
たとえば、バッファ部２１ａがバッテリー情報として「累積時間：２９９２時間、劣化報知時間：６０００時間」を記憶しているとする。また、充電制御部２２ａより充電時間として「８時間」が出力されたとする。この場合、更新部２２ｂは、累積時間に充電時間を加算することにより累積時間の更新（３０００時間）を行う。更新部２２ｂは、更新した累積時間を、バッテリーユニットＢに出力する。バッテリーユニットＢの情報記憶部１１ａは、劣化報知時間（６０００時間）に対し、更新した累積時間（３０００時間）を関連付けて記憶する。
【００３２】
＝＝リモコン装置＝＝
図５は、リモコン装置Ｒの構成を示した図である。リモコン装置Ｒは、少なくとも提示手段３０及び制御手段３１を含む。なお、リモコン装置Ｒは、バッテリーユニットＢとの接続手段（コネクタ。図示無し）やカラオケ装置に対する各種操作入力を行うための操作手段等、従来のリモコン装置と同様の構成を含む。
【００３３】
提示手段３０は、ユーザーに対して各種情報を提示する。具体的に、提示手段３０はディスプレイやスピーカである。
【００３４】
制御手段３１は、リモコン装置Ｒにおける各種制御を行う。本実施形態に係る制御手段３１は、判定部３１ａ及び報知部３１ｂとして機能する。
【００３５】
判定部３１ａは、装着されたバッテリーユニットＢからバッテリー情報を読み出し、読み出した累積時間と劣化報知時間とが所定の関係にあるかどうかを判定する。
【００３６】
たとえば、判定部３１ａは、装着されたバッテリーユニットＢからバッテリー情報を読み出し、読み出した累積時間が、劣化報知時間を超えるかどうかを判定する。
【００３７】
ここで、劣化報知時間（６０００時間）に対して、更新した累積時間（３０００時間）を関連付けたバッテリー情報を記憶したバッテリーユニットＢが、リモコン装置Ｒに装着されたとする。
【００３８】
この場合、判定部３１ａは、バッテリーユニットＢから当該バッテリー情報を読み出し、読み出した累積時間（３０００時間）と劣化報知時間（６０００時間）との比較を行う。この例では、読み出した累積時間が劣化報知時間を超えることは無い。よって、判定部３１ａは、特段の処理を行わない。一方、読み出した累積時間が劣化報知時間を超えた場合、判定部３１ａは、その旨の信号を報知部３１ｂに出力する。
【００３９】
報知部３１ｂは、読み出した累積時間と劣化報知時間とが所定の関係にある場合、バッテリーユニットＢの劣化に関する情報を報知する。
【００４０】
バッテリーユニットの劣化に関する情報は、ユーザーに対してバッテリーの使用を控えることや、廃棄を薦める情報である。たとえば、バッテリーユニットの劣化に関する情報は、「充電容量がかなり低下しています。別のバッテリーユニットを使用してください」といったメッセージや、バッテリーユニットの交換を促すブザー音のような音声である。これらのメッセージや音声のデータは、予めリモコン装置Ｒの記憶手段（図示なし）に記憶されている。
【００４１】
たとえば、報知部３１ｂは、読み出した累積時間が劣化報知時間を超えた場合、バッテリーユニットＢの劣化に関する情報を報知する。具体的に、報知部３１ｂは、読み出した累積時間が劣化報知時間を超えた場合、上記メッセージをリモコン装置Ｒのディスプレイに表示したり、上記音声をスピーカから放音させる。
【００４２】
＝＝劣化報知システムにおける処理について＝＝
次に、図６を参照して本実施形態に係る劣化報知システム１における処理の具体例について述べる。図６は、劣化報知システム１における処理例を示すフローチャートである。この例では、充電ユニットＣに対し、バッテリーユニットＢが装着されたとする。また、バッテリーユニットＢの情報記憶部１１ａは、累積時間Ｔ１及び劣化報知時間ＴＭを含むバッテリー情報Ｉを記憶しているとする。
【００４３】
充電ユニットＣは、バッテリーユニットＢからバッテリー情報Ｉを読み出す（バッテリー情報の読み出し。ステップ１０）。バッファ部２１ａは、ステップ１０で読み出したバッテリー情報を一時的に記憶する（バッテリー情報の記憶。ステップ１１）。
【００４４】
充電制御部２２ａは、バッテリーユニットＢへの充電開始時刻及び充電終了時刻に基づいて、バッテリーユニットＢの充電時間ｔ１を取得する（充電時間の取得。ステップ１２）。
【００４５】
更新部２２ｂは、ステップ１１で記憶したバッテリー情報に含まれる累積時間Ｔ１に対して充電時間ｔ１を加算することにより、累積時間の更新を行い、累積時間Ｔ２を取得する（累積時間の更新。ステップ１３）。
【００４６】
更新部２２ｂは、バッテリーユニットＢに対して更新した累積時間Ｔ２を出力し、情報記憶部１１ａに書き込みを行う（累積時間の書き込み。ステップ１４）。情報記憶部１１ａには、更新した累積時間Ｔ２を含む新たなバッテリー情報が記憶される（新たなバッテリー情報の記憶。ステップ１５）。
【００４７】
その後、リモコン装置Ｒに対し、ステップ１５の処理までが完了したバッテリーユニットＢが装着されたとする（リモコン装置への装着。ステップ１６）。
【００４８】
この場合、判定部３１ａは、装着されたバッテリーユニットＢからバッテリー情報を読み出す（バッテリー情報の読み出し。ステップ１７）。ここで読み出したバッテリー情報には、更新した累積時間Ｔ２及び劣化報知時間ＴＭが含まれている。
【００４９】
判定部３１ａは、ステップ１７で読み出したバッテリー情報に含まれる累積時間Ｔ２が、劣化報知時間ＴＭを超えるかどうかを判定する。
【００５０】
読み出した累積時間Ｔ２が、劣化報知時間ＴＭを超えた場合（ステップ１８でＹの場合）、報知部３１ｂは、バッテリーユニットＢの劣化に関する情報を報知する（劣化を報知。ステップ１９）。
【００５１】
以上の通り、本実施形態に係る劣化報知システム１は、カラオケ装置用のリモコン装置Ｒ、リモコン装置Ｒに対して着脱可能な充電式のバッテリーユニットＢ、及びバッテリーユニットＢの充電を行う充電ユニットＣを含む。バッテリーユニットＢは、バッテリーユニットＢの充電を行った累積時間、及びバッテリーユニットＢの劣化を報知する基準となる劣化報知時間を含むバッテリー情報を記憶する情報記憶部１１ａを有する。充電ユニットＣは、装着されたバッテリーユニットＢからバッテリー情報を読み出し、一時的に記憶するバッファ部２１ａと、バッテリーユニットＢの充電時間を取得する充電制御部２２ａと、バッファ部２１ａに記憶した累積時間に対して充電時間を加算することにより、累積時間の更新を行い、情報記憶部１１ａに書き込む更新部２２ｂと、を有する。リモコン装置Ｒは、装着されたバッテリーユニットＢからバッテリー情報を読み出し、読み出した累積時間が、劣化報知時間を超えるかどうかを判定する判定部３１ａと、読み出した累積時間が劣化報知時間を超えた場合、バッテリーユニットＢの劣化に関する情報を報知する報知部３１ｂと、を有する。
【００５２】
このように、バッテリーユニットＢに対して実際に充電が行われた時間を累積時間として記憶し、予め設定されている劣化報知時間と比較することにより、バッテリーユニットＢの劣化を正確に判定することができる。このような判定結果に基づく報知を受けたユーザーは、バッテリーの正確な劣化状況を容易に把握できる。すなわち、本実施形態に係る劣化報知システム１によれば、バッテリーユニットの劣化を正確に報知できる。
【００５３】
なお、本実施形態においては、判定部３１ａが、累積時間が劣化報知時間を超えるかどうかを判定し、報知部３１ｂが、累積時間が劣化報知時間を超えた場合にバッテリーユニットＢの劣化に関する情報を報知したが、これに限られない。たとえば、判定部３１ａは、劣化報知時間に対する累積時間の割合が閾値を超えるかどうかを判定し、報知部３１ｂは、劣化報知時間に対する累積時間の割合が閾値を超える場合にバッテリーユニットＢの劣化に関する情報を報知してもよい。たとえば、判定部３１ａは、累積時間が劣化報知時間の９０％を超えるかどうかを判定し、報知部３１ｂは、累積時間が劣化報知時間の９０％を超える場合にバッテリーユニットＢの劣化に関する情報を報知してもよい。このような判定結果に基づく報知を受けたユーザーは、バッテリーの正確な劣化状況を容易に把握できるため、たとえば交換するバッテリーユニットを事前に準備することができる。なお、「９０％」は閾値の一例である。
【００５４】
＜第２実施形態＞
次に図７〜図９を参照して、第２実施形態に係るバッテリーユニットの劣化報知システムについて説明する。
【００５５】
バッテリーユニットの劣化は、充電時の環境温度すなわちバッテリーユニット近傍の温度（以下「バッテリー温度」）の影響を受ける。以下、バッテリー温度に対応した劣化を考慮して累積時間を更新することが可能な劣化報知システム１について説明を行う。なお、第１実施形態と同様の構成については詳細な説明を省略する。
【００５６】
＝＝バッテリーユニット＝＝
本実施形態に係るバッテリーユニットＢの構成は第１実施形態と同じである。本実施形態において、バッテリー情報は、累積時間、劣化報知時間、及び劣化情報を含む。
【００５７】
劣化情報は、バッテリー温度とバッテリーユニットの劣化との対応を示す情報であり、本実施形態ではバッテリー温度と劣化係数との関係式で表す。劣化係数は、バッテリーユニットの劣化に係る値であり、バッテリー温度に比例して高い値を取る。なお、劣化情報は、数値テーブルで表してもよい。
【００５８】
一般に、充電時におけるバッテリー温度が高いほどバッテリーユニットの劣化が早く進むことが知られている。言い換えると、バッテリー温度が高いほど、実際の充電時間よりも長く充電したことと等しくなる。図７は、劣化情報を示した図である。図７の例において、バッテリー温度は、１５℃〜４０℃の範囲を想定している。本実施形態では、６０００時間が劣化報知時間として設定されている。図７によれば、バッテリー温度が１５℃から２５℃の範囲では劣化係数は１．０となっている。つまり劣化は、バッテリー温度の影響を受けない。一方、バッテリー温度が２５℃から４０℃の範囲ではバッテリー温度が１．５℃上昇すると劣化係数は０．１増加し、４０℃に対応する劣化係数は２．０となる。つまりこのときの劣化は、実際に取得した充電時間の２倍に相当する。本実施形態において劣化情報は、バッテリー温度をＸｂ、劣化係数をＹｂとしたときの関係式、Ｙｂ＝１．０（ただし１５≦Ｘｂ≦２５）、及びＹｂ＝（Ｘｂ−２５）／１５＋１．０（ただし２５≦Ｘｂ≦４０）で表される。なお、劣化情報はバッテリーユニットのメーカー仕様に基づくため、バッテリーユニット毎に設定される。バッテリー温度に対応した劣化係数を、実際に取得した充電時間に乗ずることにより、バッテリー温度に対応した劣化を考慮した充電時間を算出することができる。
【００５９】
＝＝充電ユニット＝＝
図８は、充電ユニットＣの構成を示した図である。充電ユニットＣは、少なくとも充電機構２０、記憶手段２１、制御手段２２、及びバッテリー温度測定手段２３を含む。
【００６０】
バッテリー温度測定手段２３は、バッテリー温度を測定し、算出部２２ｃ（後述）に出力する。バッテリー温度測定手段２３としては、一般的な温度センサを用いることができる。
【００６１】
本実施形態に係る制御手段２２は、充電制御部２２ａ、更新部２２ｂ、及び算出部２２ｃとして機能する。
【００６２】
本実施形態に係る充電制御部２２ａは、取得した充電時間を算出部２２ｃに出力する。
【００６３】
算出部２２ｃは、バッテリー温度測定手段２３から取得したバッテリー温度、バッファ部２１ａに一時的に記憶したバッテリー情報、及び充電制御部２２ａから取得した充電時間に基づいて、バッテリー温度に応じた劣化を考慮した充電時間を算出する。
【００６４】
具体例として、算出部２２ｃは、バッテリー情報に含まれる劣化情報に基づいて、バッテリー温度に対応する劣化係数を求める。算出部２２ｃは、取得した充電時間に劣化係数を乗じて、バッテリー温度に応じた劣化を考慮した充電時間を算出する。
【００６５】
たとえば、充電ユニットＣにバッテリーユニットＢが装着された場合、充電ユニットＣは、バッテリーユニットＢの充電を行い、バッファ部２１ａがバッテリー情報として図７に示す劣化情報の関係式を記憶しているとする。充電が終了した場合、算出部２２ｃは充電制御部２２ａより充電時間として「１０時間」を取得し、バッテリー温度測定手段２３よりバッテリー温度として「３１℃」を取得したとする。ここで算出部２２ｃは、劣化情報の関係式に基づいてバッテリー温度「３１℃」に対応する劣化係数「１．４」を求め、充電時間「１０時間」に劣化係数「１．４」を乗じ、バッテリー温度に応じた劣化を考慮した充電時間「１４時間」を算出する。
【００６６】
更新部２２ｂは、バッファ部２１ａに一時的に記憶した累積時間に対してバッテリー温度に応じた劣化を考慮した充電時間を加算することにより、累積時間の更新を行い、情報記憶部１１ａに書き込む。
【００６７】
たとえば、充電ユニットＣにバッテリーユニットＢが装着された場合、充電ユニットＣは、バッテリーユニットＢの充電を行い、バッファ部２１ａがバッテリー情報として「累積時間：２９９２時間、劣化報知時間：６０００時間」を記憶しているとする。充電が終了した場合、上述したように算出部２２ｃが、バッテリー温度に応じた劣化を考慮した充電時間として「１４時間」を算出したとする。ここで更新部２２ｂは、累積時間「２９９２時間」にバッテリー温度に応じた劣化を考慮した充電時間「１４時間」を加算することにより、累積時間の更新（３００６時間）を行う。更新部２２ｂは、更新した累積時間を、バッテリーユニットＢに出力する。バッテリーユニットＢの情報記憶部１１ａは、劣化報知時間（６０００時間）に対し、更新した累積時間（３００６時間）を関連付けて記憶する。
【００６８】
＝＝劣化報知システムにおける処理について＝＝
次に、図９を参照して本実施形態に係る劣化報知システム１における処理の具体例について述べる。図９は、劣化報知システム１における処理例を示すフローチャートである。この例では、充電ユニットＣに対し、バッテリーユニットＢが装着されたとする。バッテリーユニットＢの情報記憶部１１ａは、累積時間Ｔ１、劣化報知時間ＴＭ、及び劣化情報の関係式Ｆ１を含むバッテリー情報Ｉを記憶しているとする。なお、ステップ２０〜ステップ２２の処理は、第１実施形態におけるステップ１０〜ステップ１２の処理と同様であるため説明を省略する。また、バッテリーユニットＢをリモコン装置に装着した後の処理は、第１実施形態におけるステップ１７〜ステップ１９と同様であるため図示及び説明を省略する。
【００６９】
算出部２２ｃは、バッテリー温度測定手段２３からバッテリー温度Ｘｂを取得する（バッテリー温度の取得。ステップ２３）。
【００７０】
算出部２２ｃは、関係式Ｆ１にステップ２３で取得したバッテリー温度Ｘｂを代入して劣化係数Ｙｂを求める。ステップ２２で取得した充電時間ｔ１に劣化係数Ｙｂを乗じて、バッテリー温度に応じた劣化を考慮した充電時間ｔ２＝ｔ１×Ｙｂを算出する（バッテリー温度に応じた劣化を考慮した充電時間の算出。ステップ２４）。
【００７１】
更新部２２ｂは、ステップ２１で記憶したバッテリー情報に含まれる累積時間Ｔ１に対して、バッテリー温度に応じた劣化を考慮した充電時間ｔ２を加算することにより、累積時間の更新を行い、累積時間Ｔ２＝Ｔ１＋ｔ２を取得する（累積時間の更新。ステップ２５）。
【００７２】
更新部２２ｂは、バッテリーユニットＢに対して更新した累積時間Ｔ２を出力し、情報記憶部１１ａに書き込みを行う（累積時間の書き込み。ステップ２６）。情報記憶部１１ａには、累積時間Ｔ２を含む新たなバッテリー情報が記憶される（新たなバッテリー情報の記憶。ステップ２７）。
【００７３】
その後、リモコン装置Ｒに対し、ステップ２７の処理までが完了したバッテリーユニットＢが装着されたとする（リモコン装置への装着。ステップ２８）。
【００７４】
以上の通り、本実施形態に係る充電ユニットＣは、バッテリー温度を測定するバッテリー温度測定手段２３を有し、バッテリー情報は、バッテリー温度とバッテリーユニットの劣化との対応を示す劣化情報を含み、充電ユニットＣは、取得したバッテリー温度、一時的に記憶したバッテリー情報、及び取得した充電時間に基づいてバッテリー温度に応じた劣化を考慮した充電時間を算出する算出部２２ｃと、一時的に記憶した累積時間に対してバッテリー温度に応じた劣化を考慮した充電時間を加算することにより、累積時間の更新を行い、情報記憶部１１ａに書き込む更新部２２ｂと、を有する。
【００７５】
このように、バッテリー温度に応じた劣化を考慮した充電時間を加算して累積時間を更新することにより、充電時の環境温度の影響によって劣化が早く進んだ場合であっても、バッテリーユニットの劣化を正確に報知できる。
【００７６】
また、算出部２２ｃは、一時的に記憶したバッテリー情報に含まれる劣化情報に基づいて取得したバッテリー温度に応じた劣化係数を求め、取得した充電時間に劣化係数を乗じることにより、バッテリー温度に対応した劣化を考慮した充電時間を算出する。このような劣化係数を用いて充電時間を求めることにより、バッテリー温度の影響による劣化を考慮した充電時間を正確に求めることができる。
【００７７】
＜その他＞
なお、上記実施形態においては、リモコン装置、バッテリーユニット、及び充電ユニットをそれぞれ独立させた構成について説明したが、これに限られない。たとえば、充電ユニットをリモコン装置に内蔵した構成としてもよいし、充電ユニットは、バッテリーユニットがリモコン装置に装着されたままの状態で、バッテリーユニットを充電できるような構成としてもよい。
【００７８】
累積時間等のバッテリー情報を記憶する情報記憶部をバッテリーユニットごとに有することにより、特にバッテリーユニットがリモコン装置及び充電ユニットに対して容易に着脱可能の場合には、複数のバッテリーユニットを複数のリモコン装置に装着して使用したり複数の充電ユニットに装着して充電したりしても、それぞれのバッテリーユニットのバッテリー情報が正しく記憶されるという効果がある。
【００７９】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８０】
１  劣化報知システム
１０  セル
１１、２１  記憶手段
１１ａ  情報記憶部
２０  充電機構
２１ａ  バッファ部
２２、３１  制御手段
２２ａ  充電制御部
２２ｂ  更新部
２２ｃ  算出部
２３  バッテリー温度測定手段
３０  提示手段
３１ａ  判定部
３１ｂ  報知部
Ｂ  バッテリーユニット
Ｃ  充電ユニット
Ｒ  リモコン装置
【図１】
2020046193.tif 000003
【図２】
2020046193.tif 000004
【図３】
2020046193.tif 000005
【図４】
2020046193.tif 000006
【図５】
2020046193.tif 000007
【図６】
2020046193.tif 000008
【図７】
2020046193.tif 000009
【図８】
2020046193.tif 000010
【図９】
2020046193.tif 000011